(57)【要約】【課題】本発明の課題は、複数の座席を設置する施設において、設置された座席ごとに異なる料金設定をし、利用状況に応じた適切な料金請求を行うシステムを提供する。【解決手段】複数の座席の各々の利用を監視する座席端末と、前記複数の座席の少なくとも一つを利用するのに必要な、座席利用権利データを出力する、座席利用権利データ出力端末と、座席の利用者に携帯され、前記座席利用権利データを格納する携帯端末と、座席の利用状況を管理する、座席利用状況管理サーバとを備え、座席端末は、その座席端末を備える座席の利用時に、前記座席利用権利データの入力を要求し、携帯端末は、要求に応じて、座席利用権利データを入力し、座席端末は、入力された座席利用権利データを、前記座席利用状況管理サーバに送信し、座席利用状況管理サーバは、複数の座席の各々の利用料金を記憶し、送信された座席利用権利データに基づいて、座席の利用料金の請求先を決定する。【選択図】    図１
2004272790.tif 000002
【特許請求の範囲】
【請求項１】
複数の座席の各々に利用料金を設定する座席利用料金設定システムであって、
ネットワークに接続され、前記複数の座席の各々に備えられ、前記複数の座席の各々の利用を監視する座席端末と、前記利用は座席利用権利データを前記座席端末に入力することによって許可され、
前記ネットワークに接続され、前記複数の座席の少なくとも一つを利用するのに必要な、前記座席利用権利データを出力する、座席利用権利データ出力端末と、
前記ネットワークに接続され、前記座席の利用者に携帯される携帯端末と、前記携帯端末は、前記座席利用権利データを格納し、
前記ネットワークに接続され、前記ネットワークを介して、前記座席の利用状況を管理する、座席利用状況管理サーバと、
を備え、
前記座席利用権利データは、座席利用者を識別する利用者認証データと、座席利用権利発生時期と、座席利用権利消滅時期を含み、
前記座席端末は、前記座席端末を備える座席の利用時に、前記座席利用権利データの入力を要求し、
前記携帯端末は、前記要求に応じて、前記座席利用権利データを入力し、
前記座席端末は、前記入力された座席利用権利データを、前記座席利用状況管理サーバに送信し、
前記座席利用状況管理サーバは、前記複数の座席の各々の利用料金を記憶し、前記送信された座席利用権利データに基づいて、前記座席の利用料金の請求先を決定する、
座席利用料金設定システム。
【請求項２】
複数の座席の各々に利用料金を設定する座席利用料金設定システムであって、
ネットワークに接続され、前記複数の座席の各々に備えられ、前記複数の座席の各々の利用を監視する座席端末と、前記利用は座席利用権利データを前記座席端末に入力することによって許可され、
前記ネットワークに接続され、前記複数の座席の少なくとも一つを利用するのに必要な、前記座席利用権利データを出力する、座席利用権利データ出力端末と、
前記ネットワークに接続され、前記座席の利用者に携帯される携帯端末と、前記携帯端末は、前記座席利用権利データを格納し、
前記ネットワークに接続され、前記ネットワークを介して、前記座席の利用状況を管理する、座席利用状況管理サーバと、
前記ネットワークに接続され、前記ネットワークを介して前記座席の利用料金を徴収する料金徴収サーバと、
を備え、
前記座席利用権利データは、座席利用者を識別する利用者認証データと、座席利用権利発生時期と、座席利用権利消滅時期を含み、
前記座席端末は、前記座席端末を備える座席の利用時に、前記座席利用権利データの入力を要求し、
前記携帯端末は、前記要求に応じて、前記座席利用権利データを入力し、
前記座席端末は、前記入力された座席利用権利データを、前記座席利用状況管理サーバに送信し、
前記座席利用状況管理サーバは、前記複数の座席の各々の利用料金を記憶し、前記送信された座席利用権利データに基づいて、前記座席の利用料金の徴収先を決定し、
前記料金徴収サーバは、前記決定に基づいて前記利用料金を徴収する
座席利用料金設定システム。
【請求項３】
請求項１または２に記載の座席利用料金設定システムにおいて、
前記座席端末は、前記座席を識別する座席データを記憶する記憶部と、前記座席利用権利データに、前記座席データを取り込む処理部と、前記座席データを取り込んだ前記座席利用権利データを、前記座席利用状況管理サーバに送信する通信部を備え、
前記座席利用状況管理サーバは、前記送信された前記座席利用権利データに基づいて、前記座席の利用状況を管理し、
前記管理に基づいて、前記座席の利用料金の徴収先を決定する
座席利用料金設定システム。
【請求項４】
請求項１から３のいずれか１項に記載の座席利用料金設定システムにおいて、
前記座席利用権利データは、座席指定予約情報を含み、
前記座席利用権利データ出力端末は、前記座席指定予約に応答して、前記座席利用権利データを、前記座席利用状況管理サーバに送信し、
前記座席利用状況管理サーバは、前記送信された座席利用権利データに基づいて、前記座席の予約状況を管理し、
前記管理に基づいて、前記座席の利用料金の徴収先を決定する
座席利用料金設定システム。
【請求項５】
請求項１から４のいずれか１項に記載の座席利用料金設定システムにおいて、
前記座席端末は利用状況表示部を備え、
前記利用状況表示部は、前記座席の利用状況をリアルタイムで表示する
座席利用料金設定システム。
【請求項６】
請求項１から５のいずれか１項に記載の座席利用料金設定システムにおいて、
前記座席は施錠部を備え、
前記施錠部は、前記座席利用権利データの入力に応答して開錠する
座席利用料金設定システム。
【請求項７】
複数の座席の各々に利用料金を設定する座席利用料金設定方法をコンピュータにより実行するためのプログラムであって、
前記複数の座席の各々の利用を監視するステップと、
前記監視に必要な座席利用権利データを出力するステップと、
前記座席利用権利データを格納するステップと、
前記座席の利用状況を管理するステップと、
前記座席の利用時に、前記座席利用権利データの入力を要求するステップと、
前記要求に応じて、前記座席利用権利データを入力するステップと、
前記入力された座席利用権利データを、前記座席利用状況管理サーバに送信するステップと、
前記送信された座席利用権利データに基づいて、利用料金の徴収先を決定するステップ
を具備する方法をコンピュータにより実行するためのプログラム。
【請求項８】
複数の座席の各々に利用料金を設定する座席利用料金設定方法をコンピュータにより実行するためのプログラムであって、
前記複数の座席の各々の利用を監視するステップと、
前記監視に必要な座席利用権利データを出力するステップと、
前記座席利用権利データを格納するステップと、
前記座席の利用状況を管理するステップと、
前記座席の利用時に、前記座席利用権利データの入力を要求するステップと、
前記要求に応じて、前記座席利用権利データを入力するステップと、
前記入力された座席利用権利データを、前記座席利用状況管理サーバに送信するステップと、
前記送信された座席利用権利データに基づいて、利用料金の徴収先を決定するステップと、
前記決定に基づいて前記利用料金の徴収をするステップ
を具備する方法をコンピュータにより実行するためのプログラム。
【請求項９】
請求項７または８に記載の座席利用料金設定方法をコンピュータにより実行するためのプログラムにおいて
前記座席利用権利データは、座席利用者を識別する利用者認証データと、座席利用権利発生時期と、座席利用権利消滅時期を含み、
前記座席を識別する座席データを記憶するステップと、
前記座席利用権利データに、前記座席データを取り込むステップと、
前記座席データを取り込んだ前記座席利用権利データを、前記座席利用状況管理サーバに送信するステップと、
前記送信された前記座席利用権利データに基づいて、前記座席の利用状況を管理するステップと、
前記管理に基づいて、前記座席の利用料金の徴収先を決定するステップと、
を具備する方法をコンピュータにより実行するためのプログラム。
【請求項１０】
請求項７から９のいずれか１項に記載の座席利用料金設定方法をコンピュータにより実行するためのプログラムにおいて
前記座席利用権利データは、座席指定予約情報を含み、
前記座席指定予約に応答して、前記座席利用権利データを、前記座席利用状況管理サーバに送信するステップと、
前記送信された座席利用権利データに基づいて、前記座席の予約状況を管理するステップと、
前記管理に基づいて、前記座席の利用料金の徴収先を決定するステップと、
を具備する方法をコンピュータにより実行するためのプログラム。
【請求項１１】
請求項７から１０のいずれか１項に記載の座席利用料金設定方法をコンピュータにより実行するためのプログラムにおいて、
前記座席の利用状況をリアルタイムで表示するステップ
を具備する方法をコンピュータにより実行するためのプログラム。
【請求項１２】
請求項７から１１のいずれか１項に記載の座席利用料金設定方法をコンピュータにより実行するためのプログラムにおいて、
前記座席に施錠をするステップと、
前記座席利用権利データの入力に応答して開錠するステップ
を具備する方法をコンピュータにより実行するためのプログラム。
【発明の詳細な説明】
【０００１】
【発明の属する技術分野】
本発明は、劇場などの施設において、座席毎に異なる料金を設定し、利用者が座席に着席した時点で利用料金が確定するシステムに関する。
【０００２】
【従来の技術】
映画館など、一回の上演を複数の観客が同時に鑑賞する施設において、上演用のチケットを、紙媒体を用いた印刷物形態のチケットに変えて、携帯可能な端末を用いて電子チケットを観客に提供するシステムが知られていた（例えば、特許文献１参照。）。
【０００３】
さらに、入場後、観客が各々座席に着席して上演を鑑賞する場合、座席に座っている観客が、その座席を占有するのに有効な権利を有していることを、施設管理人や他の観客に提示する仕組みとして、座席に表示装置を設けるシステムが知られている。（例えば、特許文献２参照。）。
【０００４】
しかし、映画などを鑑賞する場合、支払う料金は同じであっても、着席する座席の位置によって、スクリーンに映った映像の見え方が異なり、観客の間に不公平が発生していた。この不公平を是正するために、各座席毎にスクリーンに映った映像の見え方に応じた料金設定をした場合は、観客が実際にどの座席を利用したのかを正確に把握する必要があり、従来の技術を用いたとしても、実際に観客が利用した座席を把握し、その後利用した座席に応じた料金を請求することは不可能であり、観客の間の不公平を解消することが出来なかった。
【０００５】
【特許文献１】
特開２００２−２９７８２３号公報
【特許文献２】
特開平７−３１９９８０号公報
【０００６】
【発明が解決しようとする課題】
本発明の課題は、複数の座席を設置する施設において、設置された座席ごとに異なる料金設定をし、座席の利用状況に応じた適切な料金請求を行うシステムを提供することにある。
【０００７】
【課題を解決するための手段】
以下に、［発明の実施の形態］で使用される番号を用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【０００８】
ネットワークに接続され、前記複数の座席の各々に備えられ、前記複数の座席の各々の利用を監視する座席端末（２６）と、前記利用は座席利用権利データ（３１）を前記座席端末（２６）に入力することによって許可され、前記ネットワークに接続され、前記複数の座席の少なくとも一つを利用するのに必要な、座席利用権利データ（３１）を出力する、座席利用権利データ出力端末（２３）と、前記ネットワークに接続され、前記座席の利用者に携帯される携帯端末（１１）と、前記携帯端末（１１）は、前記座席利用権利データ（３１）を格納し、前記ネットワークに接続され、前記ネットワークを介して、前記座席の利用状況を管理する、座席利用状況管理サーバ（２４）とを備え、前記座席利用権利データ（３１）は、座席利用者を識別する利用者認証データ（３４）と、座席利用権利発生時期と、座席利用権利消滅時期を含み、前記座席端末（２６）は、前記座席端末（２６）を備える座席の利用時に、前記座席利用権利データ（３１）の入力を要求し、前記携帯端末（１１）は、前記要求に応じて、前記座席利用権利データ（３１）を入力し、前記座席端末（２６）は、前記入力された座席利用権利データ（３１）を、前記座席利用状況管理サーバ（２４）に送信し、前記座席利用状況管理サーバ（２４）は、前記複数の座席の各々の利用料金を記憶し、前記送信された座席利用権利データ（３１）に基づいて、前記座席の利用料金の請求先を決定する。
【０００９】
これにより、複数の座席を備える施設において、座席ごとに異なる利用料金を設定することができる。
【００１０】
さらに、ネットワークに接続され、前記複数の座席の各々に備えられ、前記複数の座席の各々の利用を監視する座席端末（２６）と、前記利用は座席利用権利データ（３１）を前記座席端末（２６）に入力することによって許可され、前記ネットワークに接続され、前記複数の座席の少なくとも一つを利用するのに必要な、座席利用権利データ（３１）を出力する、座席利用権利データ出力端末（２３）と、前記ネットワークに接続され、前記座席の利用者に携帯される携帯端末（１１）と、前記携帯端末（１１）は、前記座席利用権利データ（３１）を格納し、前記ネットワークに接続され、前記ネットワークを介して、前記座席の利用状況を管理する、座席利用状況管理サーバ（２４）と、前記ネットワークに接続され、前記ネットワークを介して前記座席の利用料金を徴収する料金徴収サーバ（２７）とを備え、前記座席利用権利データ（３１）は、座席利用者を識別する利用者認証データ（３４）と、座席利用権利発生時期と、座席利用権利消滅時期を含み、前記座席端末（２６）は、前記座席端末（２６）を備える座席の利用時に、前記座席利用権利データ（３１）の入力を要求し、前記携帯端末（１１）は、前記要求に応じて、前記座席利用権利データ（３１）を入力し、前記座席端末（２６）は、前記入力された座席利用権利データ（３１）を、前記座席利用状況管理サーバ（２４）に送信し、前記座席利用状況管理サーバ（２４）は、前記複数の座席の各々の利用料金を記憶し、前記送信された座席利用権利データ（３１）に基づいて、前記座席の利用料金の徴収先を決定し、前記料金徴収サーバ（２７）は、前記決定に基づいて前記利用料金を徴収する。
【００１１】
これにより、複数の座席を備える施設において、座席ごとに異なる利用料金を設定することができ、さらに設定された料金の徴収が可能になる。
【００１２】
さらに、前記座席端末（２６）は、前記座席を識別する座席データを記憶する記憶部と、前記座席利用権利データ（３１）に、前記座席データを取り込む処理部と、前記座席データを取り込んだ前記座席利用権利データ（３１）を、前記座席利用状況管理サーバ（２４）に送信する通信部を備え、前記座席利用状況管理サーバ（２４）は、前記送信された前記座席利用権利データ（３１）に基づいて、前記座席の利用状況を管理し、前記管理に基づいて、前記座席の利用料金の徴収先を決定する。
【００１３】
これにより、複数の座席を備える施設において、座席ごとに異なる利用料金を設定することができ、また、座席ごとの利用状況の管理が容易に行うことができる。
【００１４】
さらに、前記座席利用権利データ（３１）は、座席指定予約情報を含み、前記座席利用権利データ出力端末（２３）は、前記座席指定予約に応答して、前記座席利用権利データ（３１）を、前記座席利用状況管理サーバ（２４）に送信し、前記座席利用状況管理サーバ（２４）は、前記送信された座席利用権利データ（３１）に基づいて、前記座席の予約状況を管理し、前記管理に基づいて、前記座席の利用料金の徴収先を決定する。
【００１５】
これにより、複数の座席を備える施設において、座席ごとに異なる利用料金を設定することができ、座席指定予約が行われたときでも、指定された座席に対応した適切な利用料金の徴収ができる。
【００１６】
さらに、前記座席端末（２６）は利用状況表示部を備え、前記利用状況表示部は、前記座席の利用状況をリアルタイムで表示する。
【００１７】
これにより、複数の座席を備える施設において、チケットを目視で確認することなく座席ごとの利用状況を確認できる。
【００１８】
さらに、前記座席は施錠部を備え、前記施錠部は、前記座席利用権利データ（３１）の入力に応答して開錠する。
【００１９】
これにより、複数の座席を備える施設において、座席の不正な占有を防止することができる。
【００２０】
【発明の実施の形態】
（実施の構成）
以下の実施例において、観客が利用する施設が映画館であった場合を例にとり説明する。
【００２１】
図１を参照にすると、本実施例は、座席利用状況管理サーバ、座席利用権利データ出力端末、携帯端末、映画館に設置された座席に設置された座席端末、および料金徴収サーバとで構成され、それらはネットワークで接続されていることがわかる。
【００２２】
観客は、映画館において映画を鑑賞するために、劇場内に設置されている座席の、どれかひとつを利用する。座席を利用するためには、座席利用権利が必要になる。座席利用権利は、映画チケットカウンターに設置された座席利用権利データ出力端末により発行され、発行された座席利用権利は座席利用権利データとして観客が携帯する携帯端末に格納される。
【００２３】
映画館内に各座席には座席端末を設置し、この座席端末は、ネットワークを経由して情報を送受信する通信部と、情報の表示を行う表示部と、情報を処理する処理部と、情報を格納する記憶部とを備え、各座席には各々の座席を識別するための座席データが付与され、記憶部に記憶されている。
【００２４】
座席利用状況管理サーバは、ネットワークを経由してもたらされた情報を基にして、座席利用権利データの発行状況、座席の利用状況、および座席の各々における料金情報を管理している。
【００２５】
図９、図１０を、参照すると、座席利用状況管理サーバは、各座席データに対応して、料金情報、座席利用状況、利用者認証データなどを管理し、また、上映日、上映時間に対応して座席利用権利データ発行状況を管理している。
【００２６】
座席利用権利データは、座席利用権利の正当な権利者である権利証明の役割をはたし、座席利用前に発行され、座席利用後に回収される。
【００２７】
また、座席利用権利データは、映画鑑賞チケットの役割も兼ねており、上映日、上映時間、利用者認証データをそれぞれ持っている。
【００２８】
座席利用権利は、権利が発生する時期と、権利行使を行える期間と、消滅する時期が決められており、この時期は、映画の上映日、上映時間により定まり、権利発生以前および権利消滅後は、座席利用権利の行使をすることができない。
【００２９】
利用者認証データは、観客が座席のどれかひとつを利用する際に、携帯端末と座席の間で、座席が観客を認証するために使用される情報であり、座席利用手続き完了後、座席利用料金の請求先のデータになる。
【００３０】
座席データは、座席利用手続き完了後に利用された座席を確定するための情報であり、座席利用手続き完了後、利用座席データとして座席利用権利データに取り込まれる。
【００３１】
また、観客が予め座席指定付きで映画鑑賞チケットを購入する場合は、座席利用権利データ出力端末は、指定した座席の座席データを含む座席利用権利データ発行し、さらに、座席指定予約された座席の座席端末に、座席予約情報を送信する。
【００３２】
料金徴収サーバは、座席ごとの設定料金を記憶し、利用された座席の料金徴収を行う。料金徴収の方法は、前払い型と、後払い型を選択することができる。
【００３３】
前払い型は、座席利用手続き後、映画終了前、料金を支払う支払方法で、後払い型は、映画終了後、座席利用権利データ返却時に料金を支払う支払方法である。
【００３４】
また、図１１を参照すると、料金徴収サーバは、観客の料金徴収状況も管理し、座席利用権利データ出力端末で座席利用権利データを回収する際に  料金未徴収の観客に対する料金徴収状況を監視する。
【００３５】
図３は、図１における携帯端末が劇場内で座席の１つを利用するための手続きをおこなう場合の構成を示す概略図である。図３を参照すると、携帯端末と座席利用状況管理サーバおよび  料金徴収サーバは図１で示したものと同じである。そして、座席端末は図１で示した座席の中の１つを示したものである。
【００３６】
座席端末は、通信部、利用状況表示部、記憶部、処理部を備えている。
【００３７】
通信部は、携帯端末が座席利用権利データを用いて座席の利用手続きをする際の通信、およびこの利用手続き中における座席と座席利用状況管理サーバ間の通信において使用される。
【００３８】
利用状況表示部は、座席の現在の利用状況を表示するためのもので、観客が座席に対しての座席利用手続き前、座席利用権利データを用いての利用手続き完了後、および観客が座席指定付き映画鑑賞チケットを購入した場合により、それぞれ「空席」、「利用中」、「予約席」の利用状況が表示される。座席の利用状況が変化すると、座席利用状況管理サーバに対して、座席利用状況の変更内容が通知される。
【００３９】
記憶部は、携帯端末から送信される情報や、座席利用状況管理サーバから送信される情報を記憶する。
【００４０】
処理部は、携帯端末から送信される情報や、座席利用状況管理サーバから送信される情報、または、記憶部が記憶している情報を、利用状況表示部に表示できるように出力処理をしたり、また、必要に応じて処理する。
【００４１】
観客が映画館において、座席を使用して映画を鑑賞する場合、座席利用権利が必要となる。この座席利用権利は、座席利用権利データを携帯端末内に格納することにより権利行使が可能となり、座席利用権利データは、映画鑑賞チケットを購入する際に、映画館内の映画チケットカウンターに設置されている座席利用権利データ出力端末により、携帯端末内に発行される。
【００４２】
観客は、劇場内において利用状況表示部に「空席」と表示されている座席の座席端末と利用手続きをおこなうことにより、座席を利用することが可能になり、座席が利用されているという情報が座席から座席利用状況管理サーバに送信されるとともに、携帯端末内に発行された座席利用権利データの利用座席データに利用した座席データが格納される。
【００４３】
この時点で、観客の利用座席が決定し、その座席に対する料金も決定する。
【００４４】
ここで、前払い型の支払い方法で料金を支払う場合は、携帯端末は料金徴収サーバとの間で通信を行い、その観客が実際に利用した座席位置に対応する料金徴収を行うための情報を料金徴収サーバに送信する。  一方、後払い型の支払方法で料金を支払う場合は、映画鑑賞後に、携帯端末内に発行された座席利用権利データを回収する時に、座席利用権利データ出力端末は、料金徴収サーバとの間で通信を行い、その観客が実際に利用した座席位置に対応する料金徴収を行うための情報を料金徴収サーバに送信する。
【００４５】
また、観客が座席指定予約チケットを購入した場合、座席利用権利データが携帯端末内に発行された時点で、指定された座席の座席端末に予約情報が格納され、座席が予約される。この時点で、座席が予約されたという情報と予約者を特定するための利用者認証データが座席利用権利データ出力端末から座席利用状況管理サーバへ送信され、予約された座席の、利用状況表示部には「予約席」と表示される。この観客は、指定した座席を確実に利用できるので、座席利用権利データ発行時に、料金徴収をすることも可能である。
【００４６】
座席予約が行われたが、座席利用権利の存続期間内に利用手続きがされなかった場合、座席利用権利データ発行時に座席利用権利データ出力端末から座席利用状況管理サーバへ送信された利用者認証データを基にキャンセル料の料金徴収が行われる。
（実施例の動作の説明）
図１、図２、図３、図７を参照して本実施例の動作についての説明する。
【００４７】
以下の説明では、料金支払い方法に前払い型を使用しない場合について説明する。
【００４８】
ステップＳ１０２で、観客は、映画館内において映画鑑賞チケットを購入する。
【００４９】
次に、ステップＳ１０４で、映画チケットカウンターにおいて座席利用権利データ出力端末により、座席利用権利データを携帯端末内に発行してもらう。この時、座席利用権利データとして、上映日、上映時間、利用者認証データが携帯端末内に格納される。
【００５０】
ステップＳ１０８で、発行された座席利用権利データを用いて、劇場内において座席のうちの１つであり、利用状況表示部に「空席」と表示されている座席に対して利用手続きをする。
【００５１】
利用手続きは、最初に利用者認証データで認証をおこない、そして上映日と上映時間の情報から利用条件を確認した後、座席は利用可能と判断されれば、携帯端末内に発行された座席利用権利データの利用座席データに座席の情報を格納するともに、座席は利用状況表示部の表示を「空席」から「利用中」に変更し、座席利用状況管理サーバへ座席が利用中になったことを通知する。
【００５２】
そして、観客は映画鑑賞後、映画チケットカウンターにおいて座席利用権利データ出力端末により、携帯端末内に発行された座席利用権利データを回収される。ここで、料金未徴収の観客の場合、利用座席データに記録された座席データと座席利用状況管理サーバに登録されている各座席に対応する料金情報とから料金を算出し、観客に対しての料金徴収がおこなわれる。
【００５３】
次に、図１、図２、図３、図８を参照して、料金支払い方法に前払い型と後払い型を選択可能な場合について説明する。
【００５４】
図８を参照すると、ステップＳ２０２で、観客は、映画館内において映画鑑賞チケットを購入する。
【００５５】
次に、ステップＳ２０４で、映画チケットカウンターにおいて座席利用権利データ出力端末により、座席利用権利データを携帯端末内に発行してもらう。この時、座席利用権利データとして、上映日、上映時間、利用者認証データが携帯端末内に格納される。
【００５６】
ステップＳ２０６で、発行された座席利用権利データを用いて、劇場内において座席のうちの１つであり、利用状況表示部に「空席」と表示されている座席に対して利用手続きをする。
【００５７】
利用手続きは、最初に利用者認証データで認証をおこない、そして上映日と上映時間の情報から利用条件を確認した後、座席は利用可能と判断されれば、携帯端末内に発行された座席利用権利データの利用座席データに座席の情報を格納するともに、座席は利用状況表示部の表示を「空席」から「利用中」に変更し、座席利用状況管理サーバへ座席が利用中になったことを通知する。
【００５８】
ステップＳ２０８において、前払い型で支払う場合は、座席利用手続きが完了後、座席利用権利データを座席利用状況管理サーバへ送信する。
【００５９】
ステップＳ２１０において、座席利用状況管理サーバは、利用座席データに記録された座席データと座席利用状況管理サーバに登録されている各座席に対する料金情報から、料金を算出し、携帯端末と料金徴収サーバの間で、観客に対する料金徴収をおこなう。
【００６０】
ステップＳ２１２において、料金徴収が完了したことを料金徴収サーバに記録する。
【００６１】
後払い型で料金を支払う場合は、ステップＳ２０８でＮＯとなり、そのまま映画を鑑賞する。
【００６２】
ステップＳ２１６において、観客は映画鑑賞後、映画チケットカウンターにおいて、座席利用権利データ出力端末により、携帯端末内に発行された  座席利用権利データを回収される。そしてステップＳ２１８において、料金の徴収状況の判断が行わる。
【００６３】
ステップＳ２２０において、料金未徴収の観客の場合、座席利用権利データに記録された座席データと座席利用状況管理サーバに登録されている各座席に対応する料金情報とから料金を算出し、観客に対しての料金徴収がおこなわれる。
【００６４】
ステップＳ２２４において、料金徴収と座席利用権利データの回収が完了すると発行された座席利用権利は消滅し、利用された座席は「利用中」表示から「空席」表示に切り替わる。
【００６５】
一方、観客が、座席を予め指定した座席指定付き映画鑑賞チケットを予約した場合、映画チケットカウンターにおいて座席利用権利データ出力端末は、上映日、上映時間、利用者認証データの他に利用座席データを含む座席利用権利データを発行する。
【００６６】
この時点で、座席利用権利データ出力端末から座席利用状況管理サーバに座席に対する予約、および予約者情報として利用者認証データの通知がおこなわれる。さらに座席利用状況管理サーバから座席に対して予約の通知がおこなわれて、座席の利用状況表示部の表示が「空席」から「予約席」に変更される。
【００６７】
次に、観客は携帯端末内に発行された座席利用権利データを用いて、劇場内において座席の中の１つであり、利用状況表示部に「予約席」と表示されている座席に対して利用手続きを開始する。
【００６８】
利用手続きは、最初に利用者認証データで認証をおこない、そして上映日と上映時間と利用座席データの情報から利用条件を確認した後、  座席は利用可能と判断されれば、座席は利用状況表示部の表示を「予約席」から「利用中」に変更し、  座席利用状況管理サーバへ座席が利用中になったことを通知する。
【００６９】
利用手続きが完了後、観客が携帯端末により電子決済をおこなう場合、料金徴収サーバは、利用座席データに記録された座席データと座席利用状況管理サーバに登録されている各座席に対する料金情報から、料金を算出し、携帯端末と料金徴収サーバの間で、観客に対する料金徴収をおこなうとともに、料金徴収が完了したことを料金徴収サーバに記録する。
【００７０】
そして、観客は映画鑑賞後、映画チケットカウンターにおいて座席利用権利データ出力端末により、携帯端末内に発行された座席利用権利データを回収される。ここで、料金未徴収の観客の場合、利用座席データに記録された座席データと座席利用状況管理サーバに登録されている各座席に対応する料金情報とから料金を算出し、観客に対しての料金徴収がおこなわれる。
【００７１】
また、座席の予約が行われたが、座席利用権利の存続期間内に利用手続きがされなかった場合、座席利用権利データ発行時に座席利用権利データ出力端末から座席利用状況管理サーバへ送信された利用者認証データを基にキャンセル料の料金徴収が行われる。
【００７２】
また、観客が一つの携帯端末で複数の座席を利用しようとした場合、映画チケットカウンターにおいて座席利用権利データ出力端末により、複数座席利用権利データの発行が行われ、携帯端末内に座席利用権利データとして、上映日、上映時間、利用者認証データ、が格納される。
【００７３】
複数座席利用権利データの発行が行われた携帯端末は、複数の座席に対する利用手続きを、ひとつの携帯端末で行うことが可能であり、座席利用権利データ出力端末により複数座席利用権利データを発行してもらえば、それ以外の特別な手続きを行うことなく複数座席の占有ができる。
【００７４】
これらによって、観客が映画館内で実際に利用した座席の位置に対する適切な料金徴収が可能となる。
【００７５】
次に、本発明の他の実施例について図面を参照して説明する。
【００７６】
図４は、図１の劇場内に設置された座席に座席ロック機能を追加した座席である点において図３と異なる。
【００７７】
図４を参照すると、本実施例は、観客が座席利用権利データ出力端末により携帯端末内に座席利用権利データを発行してもらい、その座席利用権利データを用いて劇場内の座席に対して利用手続きをおこない、座席の利用手続き完了後または映画鑑賞後に携帯端末内に発行された座席利用権利データを用いて観客が実際に利用した座席位置に対する料金徴収をおこなう点においては、第１の実施例と同じである。
【００７８】
座席の座席ロック機能は、観客が座席に対して利用手続きを完了して「利用中」という利用状況になっている場合のみ、座席のロックを解除して着席可能とすることにより、携帯端末内に発行された座席利用権利データを用いて座席の利用手続きをおこなった観客のみに対して劇場内で座席の利用が可能となる。
【００７９】
さらに、図５は、図１の座席利用権利データ出力端末により、携帯端末に発行される図２の座席利用権利データに劇場の情報を追加した座席利用権利データである点において図２と異なる。
【００８０】
図５を参照すると、本実施例は、観客が座席利用権利データ出力端末により携帯端末内に座席利用権利データを発行してもらい、その座席利用権利データを用いて劇場内の座席に対して利用手続きをおこない、座席の利用手続き完了後または映画鑑賞後に携帯端末内に発行された座席利用権利データを用いて観客が実際に利用した座席位置に対する料金徴収をおこなう点においては、第１の実施例と同じである。
【００８１】
座席利用権利データ出力端末により携帯端末内に発行する座席利用権利データに劇場の情報を追加することにより、劇場単位での座席利用状況管理および座席位置に対する料金設定が可能となる。これにより、同一建物内に複数の小劇場を有し、かつ映画チケットカウンターを共有する映画館、すなわちシネマコンプレックスとよばれる複合型上映施設において、本システムを適用する場合に映画チケットカウンターと座席利用権利データ出力端末と座席利用状況管理サーバと料金徴収サーバを共有して使用することが可能となる。
【００８２】
続いて、図６は、図１の劇場内に設置された座席が座席利用状況管理サーバとネットワークで接続されていない座席である点において図３と異なる。
【００８３】
図６を参照すると、本実施例は、観客が座席利用権利データ出力端末により携帯端末内に座席利用権利データを発行してもらい、その座席利用権利データを用いて劇場内の座席に対して利用手続きをおこない、座席の利用手続き完了後または映画鑑賞後に携帯端末内に発行された座席利用権利データを用いて観客が実際に利用した座席位置に対する料金徴収をおこなう点においては、第１の実施例と同じである。
【００８４】
携帯端末と座席間の利用手続き中における利用状況変更の通知を、携帯端末から直接、座席利用状況管理サーバへ送信することにより、座席利用状況管理サーバから劇場内に設置されている各座席に対してのネットワーク接続が必要無くなるため、ネットワーク構成がシンプルになり、ネットワーク構築にかかるコスト削減が可能となる。
【００８５】
【発明の効果】
本発明の効果は、観客が実際に利用した座席の位置に対応した料金徴収が可能となることである。
【００８６】
その理由は、劇場内の各座席は携帯端末内に発行された権利がないと利用できず、また、その権利は映画館入場時に発行されて出場時には回収され、かつその権利を用いて利用した各座席の情報は座席利用状況管理サーバで管理されるため、座席の利用手続き完了時、もしくは権利回収時に観客が実際に利用した座席位置の特定がおこなえるからである。
【００８７】
また、本発明の別の効果は、観客の座席利用状況を管理できることである。
【００８８】
その理由は、劇場内の各座席の利用は、観客の携帯端末内に発行された権利を用いて座席に対しての利用手続きが必要であり、かつ利用手続き完了時にその利用状況の情報が座席利用状況管理サーバへ送信されるため、リアルタイムで一括管理がおこなえるからである。
【図面の簡単な説明】
【図１】図１は、本発明に係る座席利用料金設定システムの実施に必要なハードウェア構成の一例を示した概略構成図である。
【図２】図２は、座席利用権利データを示す図である。
【図３】図３は、本発明に係る座席利用料金設定システムで、携帯端末が劇場内で座席の一つを利用するための手続きを行う場合の構成を示す概略図である。
【図４】図４は、本発明に係る座席利用料金設定システムの他の実施例に記載した、ロック機能つき座席を使用した場合の構成を示す概略図である。
【図５】図５は、本発明に係る座席利用料金設定システムの他の実施例に記載した、劇場情報を含む座席利用権利データを示す図である。
【図６】図６は、本発明に係る座席利用料金設定システムの他の実施例に記載した、ネットワークに接続されない座席を使用した場合の構成を示す概略図である。
【図７】図７は、本発明に係る座席利用料金設定システムにより実行される座席利用料金徴収処理の一例を示すフローチャートである。
【図８】図８は、本発明に係る座席利用料金設定システムにより実行される座席利用料金徴収処理の一例を示すフローチャートである。
【図９】図９は、座席利用状況管理サーバに格納された、座席利用状況データテーブルの１例を示す図である。
【図１０】図１０は、座席利用状況管理サーバに格納された、座席利用権利発行状況を示すデータテーブルの１例を示す図である。
【図１１】図１１は、料金徴収サーバに格納された、料金徴収状況データテーブルの１例を示す図である。
【符号の説明】
１１：携帯端末
２１：映画館
２２：映画チケットカウンター
２３：座席利用権利データ出力端末
２４：座席利用状況管理サーバ
２５：劇場
２６：座席端末
２７：料金徴収サーバ
３１：座席利用権利データ
３２：上映日
３３：上映時間
３４：利用者認証データ
３５：利用座席データ
４１：座席端末
４２：通信部
４３：利用状況表示部
４４：処理部
４５：記憶部
５１：座席ロック機能つき座席
５２：座席ロック機能
６１：劇場情報を含む座席利用権利データ
６２：劇場情報
【図１】
2004272790.tif 000003
【図２】
2004272790.tif 000004
【図３】
2004272790.tif 000005
【図４】
2004272790.tif 000006
【図５】
2004272790.tif 000007
【図６】
2004272790.tif 000008
【図７】
2004272790.tif 000009
【図８】
2004272790.tif 000010
【図９】
2004272790.tif 000011
【図１０】
2004272790.tif 000012
【図１１】
2004272790.tif 000013